(57)【特許請求の範囲】
【請求項１】
コネクタ（２）と、プラグ方向（Ｐ）に沿って前記コネクタ（２）に嵌合するように構成された嵌合コネクタ（３）と、前記コネクタ（２）にて支持されたコネクタ位置決め保証（ＣＰＡ）デバイス（４）とを備えるとともに、完全嵌合位置（Ｎ）において、前記コネクタ（２）と前記嵌合コネクタ（３）とが、前記プラグ方向（Ｐ）での分離に抗するラッチ状態（Ｓ）で固定される、電気コネクタアセンブリ（１）であって、
前記ＣＰＡデバイス（４）が、前記ラッチ状態（Ｓ）において前記嵌合コネクタ（３）の対向ラッチ要素（３３）に係合するラッチ要素（４３ａ）を含むとともに、
前記ＣＰＡデバイス（４）が、前記プラグ方向（Ｐ）に対して本質的に垂直に走る作動方向（Ａ）に延びる前記コネクタ（２）の案内部（２３）に摺動可能に受け取られる、
ことを特徴とするコネクタアセンブリ（１）。
【請求項２】
コネクタ（２）と、プラグ方向（Ｐ）に沿って前記コネクタ（２）に嵌合するように構成された嵌合コネクタ（３）と、前記コネクタ（２）にて支持されたコネクタ位置決め保証（ＣＰＡ）デバイス（４）とを備えるとともに、完全嵌合位置（Ｎ）において、前記コネクタ（２）と前記嵌合コネクタ（３）とが、前記プラグ方向（Ｐ）での分離に抗するラッチ状態（Ｓ）で固定される、電気コネクタアセンブリ（１）であって、
前記ＣＰＡデバイス（４）が、前記ラッチ状態（Ｓ）において前記嵌合コネクタ（３）の対向ラッチ要素（３３）に係合するラッチ要素（４３ａ）を含むとともに、
前記ＣＰＡデバイス（４）のロック位置（Ｌ）への移動が、前記コネクタアセンブリ（１）の嵌合前位置（Ｍ）において前記ＣＰＡデバイス（４）のロック要素（４４）および／または前記嵌合コネクタ（３）の対向ロック要素（３４）のところで阻止されるとともに、
前記嵌合前位置（Ｍ）は、前記ラッチ要素（４３ａ）が前記対向ラッチ要素（３３）に当接するかまたは前記対向ラッチ要素（３３）の近傍に少なくとも配置されるように、前記コネクタ（２）と前記嵌合コネクタ（３）とが嵌合される位置である、
ことを特徴とするコネクタアセンブリ（１）。
【請求項３】
コネクタ（２）と、プラグ方向（Ｐ）に沿って前記コネクタ（２）に嵌合するように構成された嵌合コネクタ（３）と、前記コネクタ（２）にて支持されたコネクタ位置決め保証（ＣＰＡ）デバイス（４）とを備えるとともに、完全嵌合位置（Ｎ）において、前記コネクタ（２）と前記嵌合コネクタ（３）とが、前記プラグ方向（Ｐ）での分離に抗するラッチ状態（Ｓ）で固定される、電気コネクタアセンブリ（１）であって、
前記ＣＰＡデバイス（４）が、前記ラッチ状態（Ｓ）において前記嵌合コネクタ（３）の対向ラッチ要素（３３）に係合するラッチ要素（４３ａ）を含むとともに、
前記ラッチ要素（４３ａ）および前記対向ラッチ要素（３３）が、一次ロックの少なくとも一部であり、
前記ＣＰＡデバイス（４）が、さらに、二次ロックの少なくとも一部であり、
互いに独立した前記一次ロックおよび前記二次ロックが、前記完全嵌合位置（Ｎ）で前記コネクタ（２）および前記嵌合コネクタ（３）を固定する、
ことを特徴とするコネクタアセンブリ（１）。
【請求項４】
前記ラッチ状態（Ｓ）において、前記ＣＰＡデバイス（４）が、前記嵌合コネクタ（３）に対して摺動可能な前記コネクタ（２）によって支持されることを特徴とする請求項１から３の少なくとも一項に記載のコネクタアセンブリ（１）。
【請求項５】
前記コネクタアセンブリ（１）のラッチサブアセンブリが、突起およびスロットを含み、
前記ラッチ状態（Ｓ）の前記突起が、前記プラグ方向（Ｐ）に対して垂直な方向に移動可能な前記スロットに受け取られることを特徴とする請求項１から４の少なくとも一項に記載のコネクタアセンブリ（１）。
【請求項６】
前記ラッチ要素（４３ａ）が、少なくとも２つの前記ロック要素（４４）の間に配置されることを特徴とする請求項２に記載のコネクタアセンブリ（１）。
【請求項７】
前記ＣＰＡデバイス（４）が、前記プラグ方向（Ｐ）に対して本質的に垂直に走る作動方向（Ａ）に延びる前記コネクタ（２）の案内部（２３）に摺動可能に受け取られることを特徴とする請求項２または３に記載のコネクタアセンブリ（１）。
【請求項８】
前記案内部（２３）が、内部空間（１０）を少なくとも部分的に囲む前記コネクタ（２）の壁区間において前記コネクタ（２）の前記内部空間（１０）の外側に配置されることを特徴とする請求項１または７に記載のコネクタアセンブリ（１）。
【請求項９】
前記ラッチ要素（４３ａ）が、前記案内部（２３）を少なくとも部分的に形成するケーシング（２４）に設けられた間隙（２８）を通してアクセス可能であることを特徴とする請求項１、７、８のいずれか一項に記載のコネクタアセンブリ（１）。
【請求項１０】
前記ラッチ要素（４３ａ）および前記対向ラッチ要素（３３）が、一次ロックの少なくとも一部であり、
前記ＣＰＡデバイス（４）が、さらに、二次ロックの少なくとも一部であり、
互いに独立した前記一次ロックおよび前記二次ロックが、前記完全嵌合位置（Ｎ）で前記コネクタ（２）および前記嵌合コネクタ（３）を固定することを特徴とする請求項１または２に記載のコネクタアセンブリ（１）。
【請求項１１】
コネクタ（２）と嵌合コネクタ（３）とを備える電気コネクタアセンブリ（１）を完全嵌合位置（Ｎ）で固定するためのコネクタ位置決め保証（ＣＰＡ）デバイス（４）であって、
前記ＣＰＡデバイス（４）が、ラッチ状態（Ｓ）において前記嵌合コネクタ（３）の対向ラッチ要素（３３）に係合するように構成されたラッチ要素（４３ａ）を含むとともに、
前記ラッチ要素（４３ａ）および前記対向ラッチ要素（３３）が、一次ロックの少なくとも一部であり、
前記ＣＰＡデバイス（４）が、さらに、二次ロックの少なくとも一部であり、
互いに独立した前記一次ロックおよび前記二次ロックが、前記完全嵌合位置（Ｎ）で前記コネクタ（２）および前記嵌合コネクタ（３）を固定するように構成される、
ことを特徴とするコネクタ位置決め保証（ＣＰＡ）デバイス（４）。
【請求項１２】
プラグ方向（Ｐ）において電気コネクタアセンブリ（１）の嵌合コネクタ（３）に嵌合するように構成された、前記電気コネクタアセンブリ（１）のためのコネクタ（２）であって、
前記コネクタ（２）を完全嵌合位置（Ｎ）において前記嵌合コネクタ（３）にラッチさせるために請求項１１に記載のＣＰＡデバイス（４）を受け取るように構成された案内部（２３）を特徴とするコネクタ（２）。
【発明の詳細な説明】
【技術分野】
【０００１】
本発明は、コネクタと、プラグ方向に沿ってコネクタに嵌合するように構成された嵌合コネクタと、コネクタにて支持されたコネクタ位置決め保証（ＣＰＡ：ｃｏｎｎｅｃｔｏｒ  ｐｏｓｉｔｉｏｎｉｎｇ  ａｓｓｕｒａｎｃｅ）デバイスとを備え、完全嵌合位置において、コネクタと嵌合コネクタとが、プラグ方向に沿った分離に抗するラッチ状態で固定される、電気コネクタアセンブリに関する。
【０００２】
さらに、本発明は、コネクタと嵌合コネクタとを含む電気コネクタアセンブリを完全嵌合位置に固定するためのＣＰＡデバイスに関する。
【０００３】
その上、本発明は、プラグ方向においてコネクタアセンブリの嵌合コネクタに嵌合するように構成された、電気コネクタアセンブリのためにコネクタに関する。
【背景技術】
【０００４】
上記の種類の電気コネクタアセンブリ、ＣＰＡデバイス、およびコネクタは、既知である。プラグインコネクタとも呼ばれるコネクタアセンブリは、例えば、車両内で電気接続を確立するために使用される。例えば、コネクタアセンブリのコネクタは、車両の中央制御および／または計算ユニットの一部とすることができ、嵌合コネクタは、制御ユニットに接続されるべきハーネスを終端させることができる。
【０００５】
先行技術によれば、コネクタアセンブリは、一般に、最初に、完全嵌合位置でラッチされ、コネクタおよび嵌合コネクタ、したがって、それらの中の端子は、コネクタに配設されたラッチ要素によって互いに完全に係合される。このラッチ機構は、一次ロック機構とも呼ばれる。さらに、ロック部材として働くこともできるＣＰＡデバイスを一般に使用して、ラッチ要素、すなわち、一次ロックを支持し、それによって、ラッチ要素が係合解除しないようにし、および／またはラッチ要素の保持力を増加させる。それにより、コネクタおよび嵌合コネクタを偶発的に切り離すことから接続アセンブリを保護するために、完全嵌合位置が、達せられ、固定されることが保証される。
【０００６】
先行技術によるＣＰＡデバイスを含むコネクタアセンブリには、コネクタ設計の変更または改変は、一般に、ＣＰＡデバイスの再設計、およびそれゆえにコネクタおよびＣＰＡデバイスの両方のための新しいツーリング（tooling）の製造を必要とするという欠点がある。さらに、先行技術から分かるＣＰＡデバイス概念は、コネクタアセンブリのサイズを著しく増大させ、それゆえに、コネクタアセンブリの小型化を損なう。
【発明の概要】
【発明が解決しようとする課題】
【０００７】
上記した先行技術によるコネクタアセンブリの欠点に鑑みて、本発明の基礎をなす目的は、コネクタアセンブリの再設計および小型化を容易にするＣＰＡ機構を提供することである。
【課題を解決するための手段】
【０００８】
この目的は、説明の初めに述べるコネクタアセンブリに関して、ＣＰＡデバイスがラッチ状態において嵌合コネクタの対向ラッチ要素に係合するラッチ要素を含むので、本発明により達成される。
【０００９】
説明の初めに述べるＣＰＡデバイスでは、問題は、ＣＰＡデバイスがラッチ状態において嵌合コネクタの対向ラッチ要素に係合するように構成されたラッチ要素を含むので解決される。
【００１０】
説明の初めに述べるコネクタでは、目的は、完全嵌合位置においてコネクタを嵌合コネクタにラッチさせるための本発明によるＣＰＡデバイスを受け取るように構成された案内部によって解決される。
【００１１】
言い換えれば、コネクタアセンブリの最終状態では、コネクタは、嵌合コネクタとともに完全嵌合位置およびラッチ状態にあることができ、ＣＰＡデバイスは、それが少なくともコネクタにて支持され、コネクタと嵌合コネクタとを完全嵌合位置で固定するロック位置にあることができる。ＣＰＡデバイスは、ラッチ状態において嵌合コネクタの対向ラッチ要素に係合するラッチ要素を含む。
【００１２】
本発明による解決策は、両方のラッチ機能、すなわち、一次ロックのためのＣＰＡデバイスを提供する。それ故に、コネクタ設計およびサイズを変更するとき、同じＣＰＡデバイス設計を使用することができる。したがって、ＣＰＡデバイスの再設計を行うことと、それを製造するためにツーリングを準備することとが、廃止される。
【００１３】
本発明による解決策は、所望に応じて組み合わせることができ、いずれの場合にもそれ自体で有利である以下のさらなる実施形態によってさらに改善される。
【００１４】
ラッチ状態において、ＣＰＡデバイスは、嵌合コネクタを基準にしたコネクタによって摺動可能に支持することができる。言い換えれば、ラッチ要素および対向ラッチ要素の位置、したがって、嵌合コネクタおよび／またはコネクタに対するＣＰＡデバイスの位置は、ラッチ要素と対向ラッチ要素との係合解除なしに変更することができ、それによって、完全嵌合状態を維持することができるコネクタと嵌合コネクタとの係合解除を利用することなしに、ＣＰＡデバイスの移動により、またはその移動内で追加の機能を遂行できるようにすることができる。ラッチ要素および対向ラッチ要素は、ラッチ状態において互いに対して変位可能とすることができる。
【００１５】
コネクタアセンブリのラッチサブアセンブリは、突起と、プラグ方向に対して垂直な方向に移動可能な、突起を受け取るスロットとを含む。ラッチサブアセンブリは、ラッチ要素と対向ラッチ要素とを含む。ノーズは、プラグ方向に対して垂直に走る高さ方向に沿って突き出ることができ、スロットは、高さ方向にまたは高さ方向と反対の方向に面することができ、スロットの幅は、高さ方向およびプラグ方向に対して垂直に計ったノーズの幅を超える。ノーズは、ラッチを行うためにスロット中に突き出ることができ、対向ラッチ要素に対するラッチ要素の変位性を可能にするためにスロット内で移動することができる。ラッチ要素は、スロットとして形成することができ、対向ラッチ要素は、高さ方向に沿って嵌合コネクタから突き出るノーズとして形成することができる。ノーズは、コネクタアセンブリの中心軸から本質的に半径方向に離れて、嵌合コネクタの嵌合プラグ部分から延びることができる。
【００１６】
ロック位置において、ＣＰＡデバイスのロック要素は、プラグ方向において嵌合コネクタの対向ロック要素の後ろに配置させることができる。言い換えれば、ロック要素は、対向ロック要素に係合可能である。それによって、完全嵌合位置でのコネクタアセンブリの二次ロックを行うことができる。ロック要素は、プラグ方向に沿って突起をなした対向ロック要素に重なることができる。
【００１７】
ロック要素は、摺動ボルトとして少なくとも部分的に形成することができ、対向ロック要素は、プラグ方向に沿って突起をなしたロック要素に重なるおよび／または差し込むロックとして少なくとも部分的に形成することができる。摺動ボルトは、ＣＰＡデバイスをロック前位置（ｐｒｅ−ｌｏｃｋｉｎｇ  ｐｏｓｉｔｉｏｎ）からロック位置に移動させるとき、コネクタに形成されたロックまたはピンの後ろに簡単に摺動することができる。
【００１８】
ラッチ要素は、少なくとも２つのロック要素の間に配置することができる。それによって、プラグ方向およびプラグ方向と反対の方向にラッチ要素に働く力を最小にすることができる。ロック要素によって加えられるロック力は対称的に働き、それによって、嵌合コネクタに対するコネクタの安全かつ安定した位置決めを行うことができる。
【００１９】
ＣＰＡデバイスのロック位置への移動は、コネクタアセンブリの嵌合前位置（ｐｒｅ−ｍａｔｅｄ  ｐｏｓｉｔｉｏｎ）のロック要素および／または対向ロック要素のところで阻止できる。嵌合前位置において、コネクタおよび嵌合コネクタは、ラッチ要素および／またはラッチ要素を含むラッチ器（ｌａｔｃｈｉｎｇ  ｏｒｇａｎ）が対向ラッチ要素に当接するかまたは対向ラッチ要素の近傍に少なくとも配置されるように嵌合される。それによって、ＣＰＡデバイスのロック位置への早すぎる移動を防止することができ、それは、コネクタおよび嵌合コネクタが、ＣＰＡデバイスのロック要素によってロックされる前に完全嵌合状態に入るかまたは到達することを保証することができる。
【００２０】
ＣＰＡデバイスは、プラグ方向に対して本質的に垂直に走る作動方向に延びるコネクタの案内部に摺動可能に受け取られ得る。それによって、ＣＰＡデバイスは、ロック前位置からロック位置に移動されるとき、作動方向に沿って正確に変位することができる。
【００２１】
案内部は、内部空間を少なくとも部分的に囲むコネクタの壁区間においてコネクタの内部空間またはコネクタのハウジングの外側に配置することができる。それによって、コネクタの内部空間ならびに内部の方への壁区間の設計は、案内部を再設計する必要なしに再設計することができる。さらに、完全嵌合状態において、封止要素が、ＣＰＡデバイスの機能を妨害することなしに、内部空間内でコネクタと嵌合コネクタとの間に、特に、コネクタのレセプタクルの内周と嵌合コネクタの嵌合プラグ区間の外周との間に配置され得る。
【００２２】
ラッチ要素は、案内部を少なくとも部分的に形成するケーシングに設けられた間隙を通してアクセス可能にすることができる。ケーシングは、ＣＰＡデバイスと、そのラッチ要素とを保護するのに役立つことができる。ラッチ要素は、望まれる場合、ラッチを撓ませてコネクタを嵌合コネクタから分離できるように、少なくともＣＰＡデバイスのロック位置でアクセス可能にすることができる。
【００２３】
ＣＰＡデバイスに形成された少なくとも１つの留め具は、コネクタにＣＰＡデバイスを固定するためにコネクタの少なくとも１つの対向留め具に係合可能にすることができる。それによって、ＣＰＡデバイスは、コネクタに係留的におよび／または分離不能に保持され得る。ＣＰＡデバイスは、ロック位置でコネクタにラッチさせることができる。ＣＰＡデバイスをコネクタにロック前位置でラッチするために、追加の留め具を設けることができる。
【００２４】
ラッチ要素および対向ラッチ要素は、一次ロックの少なくとも一部とすることができ、ＣＰＡデバイスは、さらに、二次ロックの少なくとも一部とすることができ、互いに独立した一次ロックおよび二次ロックは、完全嵌合位置でコネクタおよび嵌合コネクタを固定する。本発明によるＣＰＡデバイスのさらなる実施形態では、ラッチ要素が、作動方向と平行に走る旋回軸のまわりに撓み可能に保持されたラッチ器に形成され、ＣＰＡデバイスが、ロック前位置からロック位置に移動するように構成されることを実現することができる。旋回軸は、ラッチ器とＣＰＡデバイスの本体部分との間の材料ブリッジによって画定することができる。それによって、ラッチ要素を含むＣＰＡデバイスは、単一片として容易に一体化して形成することができる。ラッチ器はフレーム様に形成することができ、フレームの開口がラッチ要素を画定する。
【００２５】
それに対応して、本発明によるコネクタのさらなる実施形態では、コネクタは、ＣＰＡデバイスの作動方向を規定する案内部を備えることができ、案内部は、プラグ方向に対して本質的に垂直に延びることができる。案内部は、プラグ方向と反対の方向にＣＰＡデバイスを支持するように少なくとも部分的に構成することができる。コネクタは、前記案内部への開口を備えることができるハウジングを含むことができる。開口は、ハウジングにおいて横方向に配置することができ、ＣＰＡデバイスを案内部に簡単に挿入するためにプラグ方向に対して本質的に垂直の方向に面することができる。
【００２６】
本発明による嵌合コネクタは、少なくともプラグ方向と反対方向に走る嵌合プラグ方向の反対の方向にコネクタに対して嵌合コネクタを移動させないために、ＣＰＡデバイスのラッチ要素に係合するように構成された対向ラッチ要素を備えた嵌合プラグ部分を含むことができる。
【００２７】
以下、有利な実施形態を使用し、添付図面を参照して、本発明を例として詳細に説明する。説明する実施形態は単にあり得る構成であり、しかしながら、個々の特徴は、上述のように、互いに独立して実施することができ、または省略することができる。図面に示す等しい要素は、等しい引用符号を備える。異なる図面に示される等しい要素に関連する説明の冗長な部分は省略される。
【図面の簡単な説明】
【００２８】
【図１】本発明によるコネクタアセンブリの概略斜視図である。
【図２】図１に示したコネクタアセンブリで使用される本発明によるＣＰＡデバイスの概略斜視図である。
【図３】図２に示したＣＰＡデバイスの別の概略斜視図である。
【図４】嵌合前位置における図１に示したコネクタアセンブリの概略斜視図である。
【図５】図４および図６に示す断面線Ｂ−Ｂに沿った嵌合前位置のコネクタアセンブリの概略斜視断面図である。
【図６】ロック前位置のＣＰＡデバイスを有する完全嵌合位置のコネクタアセンブリの概略斜視図である。
【図７】図４および図６に示した断面線Ｂ−Ｂに沿った、図６に示したようなロック前位置のＣＰＡデバイスを有する完全嵌合位置のコネクタアセンブリの概略斜視断面図である。
【図８】完全嵌合位置のコネクタおよび嵌合コネクタとロック位置のＣＰＡデバイスとを有する最終状態のコネクタアセンブリの概略斜視図である。
【図９】図８に示した断面線Ｃ−Ｃに沿った、完全嵌合位置のコネクタおよび嵌合コネクタとロック位置のＣＰＡデバイスとを有する最終状態のコネクタアセンブリの概略斜視断面図である。
【発明を実施するための形態】
【００２９】
図１において、本発明によるコネクタアセンブリ１が、概略斜視図で示される。コネクタアセンブリ１は、コネクタ２と、嵌合コネクタ３と、コネクタ位置決め保証（ＣＰＡ）デバイス４とを含む。さらに、コネクタアセンブリ１は、封止要素５を含むことができる。コネクタアセンブリ１は、コネクタ２に関連するコンタクト領域６（まだ図示せず）を嵌合コネクタ３に関連する嵌合コンタクト領域７に係合させるのに役立つ。コネクタアセンブリ１は、一緒になって直交座標系を定義する長さ方向Ｘ、横断方向Ｙ、および高さ方向Ｚに沿って延びる。コネクタ２は、コネクタ２をプラグ方向Ｐにおいて嵌合コネクタ３の方に移動させることによって、および／または嵌合コネクタ３をコネクタ２の方に、長さ方向Ｘおよびコネクタアセンブリ１の中心軸Ｃと平行に延びる嵌合プラグ方向Ｐ’に沿って移動させることによって嵌合コネクタ３に嵌合することができる。作動方向Ａは、プラグ方向Ｐおよび嵌合プラグ方向Ｐ’に対して本質的に垂直に、および横断方向Ｙと本質的に平行に延びる。
【００３０】
コネクタ２は、プラグ部分２１を少なくとも部分的に画定するハウジング２０を含む。本実施形態では、プラグ部分２１は、内側輪郭２２を備えるレセプタクルとして形成される。ハウジング２０の上部壁区間２０ａは、ＣＰＡデバイス４のための案内部２３を少なくとも部分的に形成する。案内部２３は、上部壁区間２２ａの領域の底面２３ａと、上面２３ｂと、側面２３ｃ、２３ｄとを有し、それらはすべて作動方向Ａと平行に走る。上面２３ｂと、側面２３ｃ、２３ｄの少なくとも一部とは、案内部２３を覆うためにケーシング２４に形成される。ケーシング２４およびハウジング２０は、ＣＰＡデバイス４を案内部２３に挿入するために作動方向Ａと反対の方向に開いている挿入開口２５を備えるように形成される。開口２５の前縁部において、第１の対向留め具２６ａが、図１に示すようにロック前位置ＫでＣＰＡデバイスをラッチするために形成される。第２の対向留め具２６ｂが、ケーシング２４の上部に作動方向Ａと平行に延びるスリット２７に設けられる。さらに、間隙２８が、案内部２３内のＣＰＡデバイス４に到達できるようにするためにケーシング２４に形成される。上面２３ｂにおいて、作動方向Ａと平行に延び、高さ方向Ｚに突き出るＣＰＡデバイス４の一部を案内し受け取るのに役立つ溝２９が形成される。
【００３１】
嵌合コネクタ３は、嵌合ハウジング３０を含み、嵌合ハウジング３０は、プラグ部分２１に対して相補的に形成されたプラグとして形成された嵌合プラグ部分３１を備え、嵌合プラグ部分３１をぴったりと取り巻くように封止要素５が幾分か配置されている外側輪郭３２を備える。嵌合コネクタ３は、対向ラッチ要素３３を備え、対向ラッチ要素３３は、コネクタ２および／またはＣＰＡデバイス４との係合を容易にするために傾斜３３ａを備えるように嵌合プラグ方向Ｐ’で斜めにされる。対向ラッチ要素３３が、中心軸Ｃから離れて高さ方向Ｚと本質的に平行にハウジング３０から突き出るノーズまたはピンとして形成され得る。対向ロック要素３４が、同様に、高さ方向Ｚにハウジング３０から突き出るノーズまたはピンとして形成され得る。対向ロック要素３４は、やはり、対向ロック要素３４が各々嵌合プラグ要素３をプラグ要素２および／またはＣＰＡデバイス４に嵌合させやすくする傾斜３４ａを備えるように嵌合プラグ方向Ｐ’で斜めにされる。さらに、嵌合コネクタ３内に保持されるおよび／または収容される嵌合コンタクト領域７は、いくつかの嵌合コンタクト要素７０を含む。本件では、嵌合コンタクト領域７は、プリント回路基板（ＰＣＢ）として形成される。
【００３２】
図２は、上からの概略斜視図でＣＰＡデバイス４を示す。ＣＰＡデバイス４は、ブリッジ４０ｃを介して互いに接続された２つの本体区間４０ａ、４０ｂを含む本体４０を有する。本体４０において、作動方向Ａに面する先端４１ａ、作動方向Ａと反対の方向に面する端部４１ｂ、高さ方向Ｚに面する上面４１ｃ、および高さ方向Ｚと反対の方向に面する裏面４１ｄが形成される。第１の本体区間４０ａと第２の本体区間４０ｂとの間に、凹部４２が形成され、ラッチ器４３が配置される。ラッチ器４３は、ラッチ要素４３ａを備え、ラッチ要素４３ａは、本質的に作動方向Ａに沿って延び、作動方向Ａと平行に計って幅ｗ４３ｂを有するスロットの形態である。ラッチ要素４３ａは、ラッチ器４３のフレーム４３ｂによって囲まれる。フレーム４３ｂは、材料ブリッジの形態のブリッジ要素４３ｃを介して第１の本体区間４０ａおよび第２の本体区間４０ｂに接続される。この構成により、ブリッジ要素４３ｃは、ラッチ要素４３ａが、旋回軸Ｒのまわりに少なくともわずかに回転し、それにより、本体４０に対して高さ方向Ｚにおよびその反対方向に移動するのを可能にする。解放要素４３ｄが、ＣＰＡデバイス４の上部４１においてラッチ器４３に、特に、旋回軸Ｒを基準にしてラッチ要素４３ａと反対のフレーム４３ｂの側面に形成され、その結果、ラッチ器４３は、それを対向ラッチ要素３３から取り外すために手でまたは器具で容易に操作できる。解放要素４３ｄは、高さ方向Ｚにラッチ器４３から突き出るロックとして形成される。
【００３３】
ＣＰＡデバイス４はロック要素４４を含む。特に、本明細書に示すように、２つのロック要素４４は、それらの間に配置されたラッチ器４３を備えることができる。各ロック要素４４のうちの１つが、２つの本体区間４０ａ、４０ｂに形成される。ロック要素４４は、高さ方向Ｚと反対の方向に本体４０から突き出し、本質的に作動方向Ａに沿って延びる摺動ボルトとして形成される。さらに、ＣＰＡデバイス４を取り扱いやすくするために、作動方向Ａに対して本質的に垂直に延びるリッジの形態で高さ方向Ｚに本体４０から突き出る操作要素４５が設けられる。ＣＰＡデバイス４は、操作要素４５で把持し、押し、および／または引くことができる。これは、特に、ＣＰＡデバイス４の第１の留め具４６ａおよび第２の留め具４６ｂによって生成される保持力に打ち勝ちやすくすることができる。留め具４６ａ、４６ｂは、対向留め具２６ａ、２６ｂと相互作用するように構成され、第１の本体区間４０ａにおいて端部４１ｂと凹部４２との間に配置される。留め具４６ａ、４６ｂは、各々、ばね区間４６ｃと、ばね区間の各々から高さ方向Ｚに突き出るノーズ４６ｄとをもつばねクリップまたはラメラとして形成される。
【００３４】
図３は、ＣＰＡデバイス４の概略斜視背面図である。ここで、ロック要素４４の各々は、やはり、傾斜４４ａを備え、その結果、ロック要素４４の各々は、嵌合コネクタ３、特に、その対向ロック要素３４に係合しやすくするためにプラグ方向Ｐで斜めにされていることが明らかになる。裏側において、プラグ方向Ｐと反対の方向に面して、ロック要素４４は、各々、当接区間４４ｃに至る斜角区間４４ｂを含み、その結果、ロック要素４４が対向ロック要素３４の後ろに配置され、対向ロック要素３４に当接している場合、ＣＰＡデバイス４を作動方向Ａに押すと、対向ロック要素３４を嵌合プラグ方向Ｐ’にさらに引くことができ、その結果、嵌合コネクタ３は、ロック要素４４が当接区間４４ｃにより対向ロック要素３４で静止するようになるまでＣＰＡデバイス４をロック前位置Ｋからロック位置Ｌに移送すると、コネクタ２の方に引かれる。引込要素４７は、作動方向Ａにロック要素４４からある距離に設けられる。引込要素４７は、同様に、傾斜４７ａを備える。それによって、ロック要素４４の傾斜４４ａと引込要素４７の傾斜４７ａとの間に、対向ロック要素３４のための漏斗状引込４８が形成される。その上、ＣＰＡデバイス４は、レール４９を備え、レール４９は、作動方向Ａと平行に本体４０に沿って延び、ＣＰＡデバイス４の安定性および案内の強化のためにブリッジ要素４３ｃと位置合わせされている。
【００３５】
図４は、ロック前位置ＫのＣＰＡデバイス４を有する嵌合前位置Ｍのコネクタアセンブリ１を概略斜視図で示す。コネクタ２と嵌合コネクタ３とは嵌合されているので、ラッチ器４３と対向ラッチ器３３とは互いに当接している。
【００３６】
図５は、ロック前位置ＫのＣＰＡデバイスを有する前嵌合前状態Ｍのコネクタアセンブリ１を、図４に示した断面線Ｂ−Ｂに沿った概略斜視断面図で、すなわち、長さ方向Ｘおよび高さ方向Ｚと平行に走り、対向ラッチ要素３３を通る断面図で示す。ここで、対向ラッチ要素３３の傾斜３３ａは、ラッチ器４３の前側に、特に、フレーム４３ｂの前縁部に当接し、ラッチ器４３は、旋回軸Ｒに対して下方にわずかに傾斜することが明らかになる。コネクタ２および嵌合コネクタ３を、それぞれ、プラグ方向Ｐおよび／または嵌合プラグ方向Ｐ’に互いの方に押すことによって、ラッチ要素４３ａと一緒にフレーム４３ｂの前縁部は、上方に曲げられ、すなわち、対向ラッチ要素３３の傾斜３３ａに沿って移動するときに旋回軸Ｒのまわりに回転することになり、その結果、対向ラッチ要素３３は、フレーム４３ｂの前縁部を越えて摺動してラッチ要素４３ａに入ることができる。さらに、嵌合コンタクト領域７が、嵌合コンタクト要素７０と接触するためのコンタクト要素６０を含むコンタクト領域６の直前に配置されるように、嵌合プラグ部分３１はプラグ部分２１に挿入される。
【００３７】
図６は、完全嵌合状態Ｎのコネクタ２および嵌合コネクタ３ならびにロック前位置ＫのＣＰＡデバイス４を有するコネクタアセンブリ１を別の概略斜視図で示す。対向ラッチ要素３３はラッチ要素４３ａに受け取られる。それ故に、コネクタアセンブリはラッチ状態Ｓにあり、コネクタ２は、ＣＰＡデバイス４を介して嵌合コネクタ３にラッチされる。対向ロック要素３４は、開口２４ａを通してケーシング２４に入っている。開口２４ａは、ケーシング２４に形成され、プラグ方向Ｐに面する。
【００３８】
図７は、ロック前位置ＫのＣＰＡデバイス４を有する、完全嵌合位置Ｎおよびラッチ状態Ｓのコネクタアセンブリ１を、図４および図６に示した断面線Ｂ−Ｂに沿った概略斜視断面図で、すなわち、長手方向Ｘおよび高さ方向Ｚと平行に走り、対向ラッチ要素３３を通る断面図で示す。ラッチ要素４３ａに受け取られる対向ラッチ要素３３の他に、嵌合プラグ部分３１が、プラグ部分２１に受け取られる。封止要素５は、プラグ部分２１の内側輪郭２２と嵌合プラグ部分３１の外側輪郭３２との間にぴったりと受け取られ締め付けられ、その結果、封止要素５は、コネクタ２、特に、そのプラグ部分２１と、嵌合コネクタ３との間に形成され、コンタクト領域６および嵌合コンタクト領域７が受け取られるコネクタアセンブリ１の内部空間１０を密閉する。完全嵌合状態Ｎでは、コンタクト領域６および嵌合コンタクト領域７は互いに係合し、その結果、コンタクト要素６０は、嵌合コンタクト要素７０に導電的に接触する。
【００３９】
図８は、完全嵌合状態Ｎおよびラッチ状態Ｓのコネクタ２および嵌合コネクタ３とロック状態ＬのＣＰＡデバイス４とを有するコネクタアセンブリ１を概略斜視図で示す。完全嵌合状態Ｎならびにラッチ状態Ｓのコネクタ２および嵌合コネクタ３と、ロック位置ＬのＣＰＡデバイス４とにより、コネクタアセンブリ１は最終状態Ｆにある。ＣＰＡデバイス４は、例えば操作要素４５で作動方向Ａに押され、それによって、留め具４６ａを対向留め具２６ａからラッチ解除し、対向ラッチ要素３３に関するラッチ器４３と対向ロック要素３４に関するロック要素４４とを移動させることによって、ロック位置Ｌに移動される。それによって、対向ラッチ要素３３は、スロット様ラッチ器４３ａ内に移動される。ロック要素４４は、プラグ方向Ｐにおいて対向ロック要素３４の後ろに移動され、その結果、ロック要素４４および対向ロック要素３４は、プラグ方向Ｐに沿って保護物において互いに重なる。それによって、ラッチ要素４３ａおよび対向ラッチ要素３３は一次ロックとして働く。ロック要素４４および対向ロック要素３４は二次ロックとして働く。ラッチ器４３および対向ラッチ要素３３は、一次ロックに関連するラッチサブアセンブリを構成する。
ロック要素４４および対向ロック要素３４は、二次ロックに関連するロックサブアセンブリを構成する。さらに、作動方向Ａと平行に計った対向ラッチ要素３３の幅ｗ３３は、ラッチ要素４３ａの幅ｗ４３ｂよりも小さいことが明らかになる。
【００４０】
図９は、最終状態Ｆのコネクタアセンブリ１を、図８に示した断面線Ｃ−Ｃに沿って得られた概略断面図で、すなわち、長手方向Ｘおよび高さ方向Ｚと平行に走り、ロック要素４４および対向ロック要素３４を通る断面図で示す。ここで、ロック要素４４は、プラグ方向Ｐにおいて対向ロック要素３４の後ろに位置し、それによって、コネクタ２および嵌合コネクタ３の分離を防止していることが明らかになる。コネクタアセンブリ１をロック解除およびラッチ解除するために、解放要素４３ｄならびに操作要素４５を使用することができる。ロック解除するために、ＣＰＡデバイス４は、作動方向Ａと反対の方向に移動されなければならない。ラッチ解除のために、解放要素４３ｄは、ラッチ要素４３ａが対向ラッチ要素３３との係合から外され、対向ラッチ要素３３を嵌合プラグ方向Ｐ’と反対の方向に、すなわち、プラグ方向Ｐにラッチ要素４３ａから引き離すことができるように、高さ方向Ｚと反対の方向に下方に押されなければならない。
【００４１】
本発明によるプラグインコネクタアセンブリ１の上述の実施形態からの変更が、本発明の範囲を逸脱することなくまたは本発明の着想と矛盾することなく可能である。
【００４２】
コネクタ２は、内側輪郭２２をもつプラグ部分２１を有するハウジング２０を備えることができ、プラグ部分２１は、必要に応じて、それぞれの外側輪郭３２をもつ嵌合コネクタ３の嵌合ハウジング３０の相補的に形成された嵌合プラグ部分３１に係合する、例えば、嵌合プラグ部分３１を受け取るように形成することができる。案内部２３は、ＣＰＡデバイス４を所望の作動方向Ａに案内するために、必要とされる形態および数がどのようであっても、底面、上面、および側面２３ａ〜ｄを備えることができる。ケーシング２４は、案内部２３を覆い、ＣＰＡデバイス４を保護するために、所望の形態がどのようであっても備えることができる。ＣＰＡデバイス４を案内部２３に挿入するために、コネクタ２は、挿入開口２５を備えることができる。任意の対向ラッチ要素３３および対向ロック要素３４をコネクタ２に挿入するために、ハウジング２０および／またはケーシング２０は、所望の数および形態がどのようであっても開口２４ａ、挿入開口２５、および／または間隙２８を備えることができる。留め具２６ａ、２６ｂは、ＣＰＡデバイス４のそれぞれの留め具４６ａ、４６ｂとロック前位置Ｋならびにロック位置Ｌで相互作用するために、所望の任意の数および形態で、例えば、本明細書に示すようなスリット２７および縁部に設けることができる。溝２９は、例えば、解放要素４３ｄなどのＣＰＡデバイス４から突き出る部分を収容し案内するために、所望の数および形態がどのようであっても設けることができる。
【００４３】
嵌合コネクタ３は、嵌合ハウジング３０を備え、嵌合プラグ部分３１を有することができ、嵌合プラグ部分３１は、コネクタ２に嵌合されるように所望に応じて整形された外側輪郭３２を有する。対向ラッチ要素３３および対向ロック要素３４は、数および形態がどのようであっても設けることができ、所望に応じて傾斜３３ａおよび３４ａを有することができる。
【００４４】
ＣＰＡデバイス４は、所望の数および形態がどのようであっても本体区間４０ａ、４０ｂをもつ本体４０を有することができ、本体区間４０ａ、４０ｂは、ブリッジ４０ｃ、ならびにラッチ器４３、特にそのブリッジ要素４３ｃを介して互いに接続することができる。ＣＰＡデバイス４は、所望の数および形態がどのようであっても先端４１ａ、端部４１ｂ、上面４１ｃ、および裏面４１ｄを有することができる。ラッチ器４３は、対向ラッチ要素３３と相補的に相互作用するために所望の数および形態がどのようであっても設けることができ、凹部４２に収容され、所望の数および形態がどのようであってもラッチ要素４３ａ、フレーム４３ｂ、ブリッジ要素４３ｃ、および解放要素４３ｄを備えることができる。ロック要素４４は、対向ロック要素３４と相互作用するために、所望の数および形態がどのようであっても設けることができ、所望の数および形態がどのようであっても傾斜４４ａ、斜角区間４４ｂ、および当接区間４４ｃを有することができる。操作要素４５は、所望の数および形態がどのようであっても設けることができる。留め具４６ａ、４６ｂは、所望の数および形態がどのようであっても設けることができ、ばね区間４０ｃならびにノーズ４６ｄを有することができる。引込要素４７は、所望の数および形態がどのようであっても設けることができ、引込部４８を構成するために傾斜４７ａを有することができる。レール４９またはウエブの形態の他の同様の要素は、ＣＰＡデバイス４の安定性および案内を強化するために、所望の数および形態がどのようであっても設けることができる。
【００４５】
最後に、コンタクト領域６および嵌合コンタクト領域７は、所望の数および形態がどのようであってもコンタクト要素６０および嵌合コンタクト要素７０を備えることができる。それらには、コネクタアセンブリ１の内部空間１０を用意することができ、内部空間１０は、所望の数および形態がどのようであっても封止要素５によって、環境に対して密閉することができる。
【符号の説明】
【００４６】
１  コネクタアセンブリ
２  コネクタ
３  嵌合コネクタ
４  ＣＰＡデバイス
５  封止要素
６  コンタクト領域
７  嵌合コンタクト領域
１０  内部空間
２０  ハウジング
２１  プラグ部分
２２  内側輪郭
２３  案内部
２３ａ  底面
２３ｂ  上面
２３ｃ、２３ｄ  側面
２４  ケーシング
２４ａ  開口
２５  挿入開口
２６ａ  第１の対向留め具
２６ｂ  第２の対向留め具
２７  スリット
２８  間隙
２９  溝
３０  嵌合ハウジング
３１  嵌合プラグ部分
３２  外側輪郭
３３  対向ラッチ要素
３３ａ  傾斜
３４  対向ロック要素
３４ａ  傾斜
４０  本体
４０ａ  第１の本体区間
４０ｂ  第２の本体区間
４０ｃ  ブリッジ
４１ａ  先端
４１ｂ  端部
４１ｃ  上面
４１ｄ  裏面
４２  凹部
４３  ラッチ器
４３ａ  ラッチ要素
４３ｂ  フレーム
４３ｃ  ブリッジ要素
４３ｄ  解放要素
４４  ロック要素
４４ａ  傾斜
４４ｂ  斜角区間
４４ｃ  当接区間
４５  操作要素
４６ａ  第１の留め具
４６ｂ  第２の留め具
４６ｃ  ばね区間
４６ｄ  ノーズ
４７  引込要素
４７ａ  傾斜
４８  引込部
４９  レール／ウエブ
６０  コンタクト要素
７０  嵌合コンタクト要素
Ａ  作動方向
Ｃ  中心軸
Ｆ  最終状態
Ｋ  ロック前位置
Ｌ  ロック位置
Ｍ  嵌合前位置
Ｎ  完全嵌合位置
Ｐ  プラグ方向
Ｐ’  嵌合プラグ方向
Ｒ  旋回軸
Ｓ  ラッチ状態
ｗ３３  対向ラッチ要素の幅
ｗ４３ｂ  ラッチ要素の幅
【図１】
0006539283.tif 000002
【図２】
0006539283.tif 000003
【図３】
0006539283.tif 000004
【図４】
0006539283.tif 000005
【図５】
0006539283.tif 000006
【図６】
0006539283.tif 000007
【図７】
0006539283.tif 000008
【図８】
0006539283.tif 000009
【図９】
0006539283.tif 000010